(57)【要約】【課題】電率検出器の検出部を計器元弁の先まで挿入させた試料の測定時における導電率検出器の設地位置と、導電率検出器の検出部が計器元弁により挟み込まれない位置まで引き抜かれた試料の非測定時における導電率検出器の設置位置を、保守作業員の経験に基づいた感覚に頼ることなく、誰もが容易に確認することができる導電率検出器の進退移動台座を提供する。【解決手段】土台の上に固定したレールと、導電率検出器を取り付けた状態で、レールの長手方向に沿ってスライド移動が可能である移動基台と、レールにおける移動基台のスライド移動を規制するために所定の間隔を開けてレールに固定した一対のストッパーを備え、前側のストッパーは、導電率検出器の検出部を計器元弁の先まで挿入させた試料の測定時における導電率検出器の設置位置に対応して配置され、後側のストッパーは、導電率検出器の検出部が計器元弁により挟み込まれない位置まで引き抜かれた試料の非測定時における導電率検出器の設置位置に対応して配置されている。【選択図】図１
2009244097.tif 000002
【特許請求の範囲】
【請求項１】
測定対象の各系統からサンプリング配管にて導いている試料の導電率を測定する導電率検出器の設置位置を、サンプリング配管の端部で前後方向に移動させることのできる導電率検出器の進退移動台座であって、土台の上に固定したレールと、導電率検出器を取り付けた状態で、レールの長手方向に沿ってスライド移動が可能である移動基台と、レールにおける移動基台のスライド移動を規制するために所定の間隔を開けてレールに固定した一対のストッパーを備え、前側のストッパーは、導電率検出器の検出部を計器元弁の先まで挿入させた試料の測定時における導電率検出器の設置位置に対応して配置され、後側のストッパーは、導電率検出器の検出部が計器元弁により挟み込まれない位置まで引き抜かれた試料の非測定時における導電率検出器の設置位置に対応して配置されていることを特徴とする導電率検出器の進退移動台座。
【請求項２】
レールに沿ってスケールを配置している請求項１に記載の導電率検出器の進退移動台座。
【発明の詳細な説明】
【技術分野】
【０００１】
本発明は、測定対象の各系統からサンプリング配管にて導いている液体の導電率を測定する導電率検出器の設置位置を、サンプリング配管の端部で前後方向に移動させることのできる導電率検出器の進退移動台座に関するものである。
【背景技術】
【０００２】
プラントの配管を流れる液体の導電率を測定するための方法として、系統の配管に接続しているサンプリング配管により試料である液体を連続的に採取し、この採取した液体の導電率を測定している。
【０００３】
そして、この方法を実施するとき、サンプリング配管の端部に計測機器の検出端を設け、そこに導電率検出器を設置して連続的にデータを得る手法がある。このとき、導電率検出器は、サンプリング配管の端部に位置する計測機器の検出端に所定の台座を用いて取り付けられている。
【０００４】
また、導電率検出器の手前に位置する、測定対象の各系統とサンプリング系統に元弁を設け、この元弁を介して測定対象の各系統とサンプリング系統との隔離を行うことができるようにしている。
【０００５】
そして、導電率検出器の点検・校正を行う際には、この元弁を予め閉じている。即ち、元弁を閉じて、サンプリング系統を測定対象の各系統から隔離した状態で、導電率検出器の点検・校正を行っているのである。
【０００６】
さらに、測定対象の各系統からサンプリング系統を隔離する元弁とは別に、サンプリング配管の端部に位置する計測機器の検出端の手前に計器元弁を設け、点検等により導電率検出器を取り外す際に、導電率検出器の検出部を計器元弁より引き抜いた位置にて、計器元弁を閉じ、サンプリング配管が開放されない措置をとっている。
【０００７】
また、導電率検出器は、図８(ａ)に示すように、検出部をサンプリング配管に挿入させ、測定対象の各系統からサンプリング配管に導いている液体に検出部を接触させることにより、液体の導電率を測定している。
【０００８】
そして、導電率検出器の検出部により液体の導電率を正確に測定するために、導電率検出器の検出部を計器元弁よりも先まで挿入する必要がある。
【０００９】
このように導電率検出器の検出部を計器元弁の先まで挿入した状態のまま、計器元弁を閉じると、計器元弁の弁体により検出部を挟み込んでしまい、導電率検出器の検出部を破損してしまう。
【００１０】
従って、液体の導電率を正確に測定するためには、図８(ａ)に示すように、導電率検出器の検出部を計器元弁の先まで挿入するように導電率検出器を設置することが必要である一方、点検の際には、図８(ｂ)に示すように、導電率検出器の検出部が計器元弁により挟み込まれない位置まで検出部を引き抜くようにして導電率検出器を設置する必要がある。
【特許文献１】特になし
【発明の開示】
【発明が解決しようとする課題】
【００１１】
しかし、導電率検出器の検出部を計器元弁の先まで挿入しているかどうかの判断、また、導電率検出器の検出部が計器元弁により挟み込まれない位置まで引き抜かれているかどうかの判断は、保守作業員の経験に基づいた感覚に頼っているのが実情である。
【００１２】
そのため、導電率検出器の検出部を計器元弁よりも先まで挿入させない位置に導電率検出器を設置して、液体の導電率を正確に測定できない事態が生じていた。
【００１３】
また、導電率検出器の検出部を計器元弁の先まで挿入させた状態のまま計器元弁を閉じてしまい、計器元弁の弁体により検出部を挟み込んで導電率検出器の検出部を破損してしまうこともあった。
【００１４】
その結果、導電率検出器をその都度交換しなければならなくなり、その交換作業が面倒であると共に、非経済的である。また、プラントの配管を流れる液体の導電率の測定において、欠測という事態が生じてしまい、問題となっていた。
【００１５】
そこで、本発明は如上のような従来存した諸事情に鑑み創出されたもので、電率検出器の検出部を計器元弁の先まで挿入させた試料の測定時における導電率検出器の設地位置と、導電率検出器の検出部が計器元弁により挟み込まれない位置まで引き抜かれた試料の非測定時における導電率検出器の設置位置を、保守作業員の経験に基づいた感覚に頼ることなく、誰もが容易に確認することができる導電率検出器の進退移動台座を提供することを目的とする。
【課題を解決するための手段】
【００１６】
本発明は、測定対象の各系統からサンプリング配管にて導いている試料の導電率を測定する導電率検出器の設置位置を、サンプリング配管の端部で前後方向に移動させることのできる導電率検出器の進退移動台座であって、土台の上に固定したレールと、導電率検出器を取り付けた状態で、レールの長手方向に沿ってスライド移動が可能である移動基台と、レールにおける移動基台のスライド移動を規制するために所定の間隔を開けてレールに固定した一対のストッパーを備え、前側のストッパーは、導電率検出器の検出部を計器元弁の先まで挿入させた試料の測定時における導電率検出器の設置位置に対応して配置され、後側のストッパーは、導電率検出器の検出部が計器元弁により挟み込まれない位置まで引き抜かれた試料の非測定時における導電率検出器の設置位置に対応して配置されていることで、上述した課題を解決した。
【００１７】
また、レールに沿ってスケールを配置していることで、同じく上述した課題を解決した。
【発明の効果】
【００１８】
本発明は、測定対象の各系統からサンプリング配管にて導いている液体の導電率を測定する導電率検出器の設置位置を、サンプリング配管の端部で前後方向に移動させることのできる導電率検出器の進退移動台座であって、土台の上に固定したレールと、導電率検出器を取り付けた状態で、レールの長手方向に沿ってスライド移動が可能である移動基台と、レールにおける移動基台のスライド移動を規制するために所定の間隔を開けてレールに固定した一対のストッパーを備えていることから、レールに固定した一対のストッパー間において移動基台が自在にスライド移動し、この移動基台を介して導電率検出器を前後方向に移動させることができる。
【００１９】
そして、前側のストッパーは、導電率検出器の検出部を計器元弁の先まで挿入させた試料の測定時における導電率検出器の設置位置に対応して配置されていることから、移動基台を前側のストッパーに当接させるという簡単な作業により、保守作業員は試料の測定時における導電率検出器の設置位置を即座に確認して、導電率検出器を固定できる。
【００２０】
そのため、導電率検出器の検出部を計器元弁の先まで挿入させた正しい位置に導電率検出器を設置して、試料である液体の導電率を常に正確に測定することができる。
【００２１】
また、後側のストッパーは、導電率検出器の検出部が計器元弁により挟み込まれない位置まで引き抜かれた試料の非測定時における導電率検出器の設置位置に対応して配置されていることから、移動基台を後側のストッパーに当接させるという簡単な作業により、保守作業員は導電率検出器の検出部が計器元弁により挟み込まれない位置まで引き抜かれていることを容易に確認できる。
【００２２】
このように、試料の非測定時における導電率検出器の設置位置を、保守作業員の経験に基づく感覚に頼ることなく簡単に確認できることから、導電率検出器を計器元弁の先まで挿入した状態のまま計器元弁を閉めてしまい、計器元弁の弁体により検出部を挟み込んで導電率検出部を破損してしまう事態の発生を確実に回避することができる。
【００２３】
また、プラントの配管を流れる液体の導電率の測定において、導電率検出器の破損を防いで、欠測という事態の発生も回避することができる。
【００２４】
さらに、レールに沿ってスケールを配置していることから、移動基台を介してレールに沿って移動する導電率検出器の位置を正確に把握することができる。
【発明を実施するための最良の形態】
【００２５】
以下に、本発明を実施するための最良の形態を、図面を参照して説明する。
【００２６】
本発明に係る導電率検出器１の進退移動台座は、図１・図２に示すように、測定対象の各系統からサンプリング配管Ｓにて導いている試料である液体の導電率を測定する導電率検出器１の設置位置を、サンプリング配管Ｓの端部で前後方向に移動させることができるものである。
【００２７】
サンプリング配管Ｓは、図３に示すように、主配管Ｐに接続されているもので、その設置場所に応じて、種々の異なる長さを有している。このサンプリング配管Ｓの端部近傍には、計器元弁Ｇが取り付けられている。導電率検出器１は、この計器元弁Ｇの隣に設置されている。
【００２８】
進退移動台座を介して前後方向に移動する導電率検出器１は、図４に示すように、ユニバーサルヘッド２を介してコンジット３に接続されるコネクタハウジング４の一端に、検出部５を突出状に設けている。
【００２９】
検出部５は、例えば、チタン電極、若しくは、フッ素樹脂により被覆されたグラファイト電極等を、モールド材を介して突設して導電率セルを形成している。この検出部５（導電率セル）は、筒状の外部電極と、外部電極内に挿入された内部電極を有している。この内部電極の、例えば、内側には温度補償器が取り付けられており、外部電極には計測している液体の流路となる孔が設けられている。
【００３０】
そして、試料としての液体の導電率を測定する際には、図１に示すように、サンプリング配管Ｓの計器元弁Ｇを開放してから、検出部５（導電率セル）をサンプリング配管Ｓまで挿入し、主配管Ｐから導いた試料に検出部５（導電率セル）を接触させることにより、試料の導電率を測定するのである。
【００３１】
導電率検出器１の進退移動台座は、図５・図６に示すように、土台６の上に固設されている所定の長さのレール７と、このレール７の長手方向に沿ってスライド移動する移動基台８を備えている。
【００３２】
レール７は、図６に示すように、長方形状の底板片９と、底板片９の長手方向における両側を上方に向けて折曲した垂設片１０，１０と、両垂設片１０，１０の上部を内向きに折曲した水平片１１，１１により形成されている。そして、これらの底板片９、垂設片１０，１０、水平片１１，１１の内側に、溝状の空間を形成している。
【００３３】
一方、移動基台８は、図６に示すように、長方形状のスライド基部１２とこのスライド基部１２に載置した固定体１３を有している。また、固定体１３には、軸部１４を介して挟持部１５が固定されている。この挟持部１５は、上方が拡開できる二股状のリング片１６，１６により形成されている。また、リング片１６，１６の上端部には、上向きの当接片１７，１７を設けている。
【００３４】
そして、図５・図７に示すように、挟持部１５を形成する二股状のリング片１６，１６により導電率検出器１の一部を両側から挟みこみ、当接片１７，１７を接合してボルト１８とナット１９等により固定することにより、移動基台８の挟持部１５に導電率検出器１を取り付けているのである。
【００３５】
この移動基台８は、レール７の長手方向に沿ってスライド移動するものであるが、具体的には、図７に示すように、レール７における、底板片９、垂設片１０，１０、水平片１１，１１の内側に形成されている溝状の空間に、移動基台８のスライド基部１２を配置している。また、両水平片１１，１１の間に、移動基台８の固定体１３を配置している。
【００３６】
さらに、レール７には、図５に示すように、一対のストッパー２０，２１を所定の間隔を開けて固定している。この一対のストッパー２０，２１は、移動基台８の固定体１３に当たるもので、レール７における移動基台８のスライド移動を規制している。
【００３７】
それぞれのストッパー２０，２１は、その中央部に取付孔２２を有している。そして、ストッパー２０，２１の取付孔２２にボルト２３を挿入し、ボルト２３の先端部を、例えば、レール７の底板片９と土台６に捩じ込んで、レール７の上にストッパー２０，２１を固定している。
【００３８】
この前側のストッパー２０は、図１に示すように、導電率検出器１の検出部５を計器元弁Ｇの先まで挿入させた、試料の測定時における導電率検出器１の設置位置に対応して配置されている。
【００３９】
また、後側のストッパー２１は、図２に示すように、導電率検出器１の検出部５が計器元弁Ｇにより挟み込まれない位置まで引き抜かれた試料の非測定時における導電率検出器１の設置位置に対応して配置されている。
【００４０】
この他、図５に示すように、レール７の長手方向に沿った土台６上に、スケール２４を固定している。
【００４１】
サンプリング配管Ｓにて導いている試料である液体の導電率を測定するときは、サンプリング配管Ｓの計器元弁Ｇを開放してから、図１に示すように、導電率検出器１を取り付けている移動基台８を前方に移動させ、移動基台８の固定体１３を前側のストッパー２０に当接させる。
【００４２】
このとき、導電率検出器１の検出部５（導電率セル）は、計器元弁Ｇの先まで挿入させた状態となる。そのため、導電率検出器１の検出部５（導電率セル）により、試料である液体の導電率を正確に測定することができる。
【００４３】
測定を終了した後には、図２に示すように、導電率検出器１を取り付けている移動基台８を後方に移動させ、移動基台８の固定体１３を後側のストッパー２１に当接させる。
【００４４】
このとき、導電率検出器１の検出部５（導電率セル）は、計器元弁Ｇにより挟み込まれない位置まで引き抜かれている状態となる。そのため、計器元弁Ｇを閉じても、導電率検出器１の検出部５（導電率セル）が破損することがない。
【産業上の利用可能性】
【００４５】
本発明に係る導電率検出器の進退移動台座は、原子力発電所における沸騰水型や加圧水型の原子炉プラント等におけるサンプリング配管に導いている液体の導電率を測定することの他に、例えば、浄化槽等の様々な液体を採取して、その液体の化学成分等を測定・分析する場合等に幅広く利用することができる。
【図面の簡単な説明】
【００４６】
【図１】導電率検出器を取り付けている移動基台を前方に移動させ、移動基台の固定体を前側のストッパーに当接させて、導電率検出器の検出部（導電率セル）を計器元弁の先まで挿入させている状態（試料の測定時における導電率検出器の設置位置）を示す側面図である。
【図２】導電率検出器を取り付けている移動基台を後方に移動させ、移動基台の固定体を後側のストッパーに当接させて、導電率検出器の検出部（導電率セル）を計器元弁により挟み込まれない位置まで引き抜いている状態（試料の非測定時における導電率検出器の設置位置）を示す側面図である。
【図３】系統の配管から、サンプリング配管を介し、導電率検出器へ試料を導く状態を示す概略図である。
【図４】導電率検出器の構成を示す側面図である。
【図５】導電率検出器を取り付けている移動基台が、前後方向にスライド移動できるようにレールに配置されている状態を示す斜視図である。
【図６】レールにおける、底板片、垂設片、水平片の内側に形成されている溝状の空間に、移動基台のスライド基部を挿入する状態を示す分解斜視図である。
【図７】レールにおける、底板片、垂設片、水平片の内側に形成されている溝状の空間に、移動基台のスライド基部を挿入した状態を示す断面図である。
【図８】導電率検出器の検出部の位置を示すもので、（ａ）は導電率検出器の検出部を、計器元弁の先まで挿入させている状態を示す側面図、（ｂ）は導電率検出器の検出部を、計器元弁により挟み込まれない位置まで引き抜いている状態を示す側面図である。
【符号の説明】
【００４７】
Ｐ…主配管
Ｓ…サンプリング配管
Ｇ…計器元弁
１…導電率検出器
２…ユニバーサルヘッド
３…コンジット
４…コネクタハウジング
５…検出部
６…土台
７…レール
８…移動基台
９…底板片
１０…垂設片
１１…水平片
１２…スライド基部
１３…固定体
１４…軸部
１５…挟持部
１６…リング片
１７…当接片
１８…ボルト
１９…ナット
２０，２１…ストッパー
２２…取付孔
２３…ボルト
２４…スケール
【図１】
2009244097.tif 000003
【図２】
2009244097.tif 000004
【図３】
2009244097.tif 000005
【図４】
2009244097.tif 000006
【図５】
2009244097.tif 000007
【図６】
2009244097.tif 000008
【図７】
2009244097.tif 000009
【図８】
2009244097.tif 000010